(57)【特許請求の範囲】
【請求項１】
中空円筒状で、その母線に沿い中心軸線に関して対称的に形成された一対の係止溝、一対の小径部、一対の逃し溝及び一対の大径部を夫々角度位置を違えて連設した外筒と、上記一対の大径部に夫々その母線に沿って形成された係止凸条と、この係止凸条と干渉せずに回動できる外径を有し、中心部に軸線方向に沿う鍵孔を形成すると共に、夫々半径方向に付勢されたディスクタンブラーを収納した複数のスリットを軸線に沿って形成した内筒とを設け、第１の合鍵により全ディスクタンブラーの両端を外筒の小径部の内側のシアーラインに揃え、所定の方向に回動させて逃し溝の角度位置で鍵孔から第１の合鍵を抜いた後、第１の合鍵とは異なる第２の合鍵を鍵孔に挿入して内筒を更に回動させたとき、各ディスクタンブラーが係止凸条を通過できるように、ディスクタンブラーと干渉する係止凸条の部分に切り欠きを形成し、鍵孔を挟んで相互に対向し、外筒の中心軸線方向においてディスクタンブラーと整合する切り欠きの底部間の間隔を、対応するディスクタンブラーの長さより少し大きくなるように設定したことを特徴とする複合ディスクタンブラー錠。
【発明の詳細な説明】
【０００１】
【産業上の利用分野】
この発明は、所謂ディスクタンブラー錠の改良に係り、特に錠の主目的とする保安性能の向上させた複合ディスクタンブラー錠に関する。
【従来の技術】
例えば特定の人間のみが特定の扉口を開閉でき、他の人間は扉口を開閉できないようにするために、扉口に錠前を取り付けておき、特定の人間のみがその錠に対応する１個の合鍵を所持しておき、必要に応じてこの合鍵を鍵孔に挿入することにより施解錠を行う方法がとられている。
【０００２】
しかし、施錠してある錠前を針金等を用いて不正解錠してしまう犯罪は後を絶たない。そこで、同じ構造の錠前或は異なった構造の錠を同一扉口に取付けて１個或いは２個の合鍵を夫々の鍵孔に挿入して扉口を開閉させる方法もとられている（所謂ワンドア・ツーロック）。
【０００３】
こうすることにより、ピッキング（不正解錠）をしようとしても解錠するのに時間が余計にかかるので、犯罪者がピッキングを諦める場合が多い。
【０００４】
このように複数個の錠前を一つの扉に装着することは、部外者に対する防備を完全にするという効果の他、次に述べるような有利な点がある。
【０００５】
すなわち、多額の現金等、重要物品を格納しておく部屋の扉に異なった構造の複数個の錠前を取付け、夫々の合鍵を複数の人間に分散所持させておくことにより、単独の人間の操作では解錠できず、複数の人間の立会操作によりはじめて解錠できるという内部牽制の効果もある。
【０００６】
【発明が解決しようとする課題】
しかしながら、錠前を複数個取り付けることは、直接扉口の製造コストに上乗せられるし、スペースや外観上の問題も無いとは言えない。
【０００７】
従って、１つの錠で、異なった構造の複数個の錠を取付けたと同じ効果が得られれば上記の問題点は解消される。
【０００８】
【課題を解決するための手段】
上記の目的を達成するため、この発明は、中空円筒状で、その母線に沿い中心軸線に関して対称的に形成された一対の係止溝、一対の小径部、一対の逃し溝及び一対の大径部を夫々角度位置を違えて連設した外筒と、上記一対の大径部に夫々その母線に沿って形成された係止凸条と、この係止凸条と干渉せずに回動できる外径を有し、中心部に軸線方向に沿う鍵孔を形成すると共に、夫々半径方向に付勢されたディスクタンブラーを収納した複数のスリットを軸線に沿って形成した内筒とを設け、第１の合鍵により全ディスクタンブラーの両端を外筒の小径部の内側のシアーラインに揃え、逃し溝の角度位置で鍵孔から第１の合鍵を抜いた後、第１の合鍵とは異なる第２の合鍵を鍵孔に挿入して内筒を更に回動させたとき、各ディスクタンブラーが係止凸条を通過できるように、ディスクタンブラーと干渉する係止凸条の部分に切り欠きを形成し、鍵孔を挟んで相互に対向し、外筒の中心軸線方向においてディスクタンブラーと整合する切り欠きの底部間の間隔を、対応するディスクタンブラーの長さより少し大きくなるように設定したことを特徴とする。
【０００９】
【作用】
上記のように構成された、この発明のよる複合ディスクシリンダー錠は、１つの錠前で異なった鍵違いの２つの錠前の機能を持つ。
【００１０】
すなわち、正規の第１の合鍵（以下第１の合鍵という）の操作、即ち、第１の合鍵を鍵孔に挿入して例えば９０度回動させることにより、第１の錠前を解錠する。
【００１１】
引続いて、正規の第２の合鍵（以下第２の合鍵と呼ぶ）の操作、即ち、第１の合鍵を鍵孔から引き抜き、第２の合鍵を鍵孔に挿入して残りの９０度を回転させることにより、第２の錠前を解錠する。
【００１２】
内筒の鍵孔に合鍵を挿入していない状態においては、全てのディスクタンブラー（以下単にタンブラーという）はスプリングにより、スプリングの付勢方向に移動しており、全タンブラーの先端部は係止溝内に突出している。
【００１３】
従って、このままの状態で内筒を回動させようとしても、タンブラーの先端部側壁が係止溝の側壁と干渉して回動は不能である。
【００１４】
そこで、第１の合鍵を鍵孔に挿入する。そうすると、第１の合鍵の鍵溝が夫々のタンブラーの開口の係合端縁に係合し、スプリングの力に抗して、夫々のタンブラーを所定位置に移動させる。
【００１５】
即ち、夫々のタンブラーの両端が外筒の小径部の内側のシアーラインに揃えられ、その結果タンブラーの先端部と係止溝との干渉が解消される。
【００１６】
したがって内筒は回動可能となるので、第１の合鍵を回動させて、内筒を所定角度まで、例えば９０度回動させると、今度は少くとも１個のタンブラーの先端部が係止凸条と干渉する。
【００１７】
そこで、タンブラーが逃げ溝の角度位置にあるとき第１の合鍵を抜き、第２の合鍵を鍵孔に挿入する。
【００１８】
そうすると、第２の合鍵の鍵溝が夫々のタンブラーの開口の係合端縁に係合し、スプリングの力に抗して、夫々のタンブラーを所定の位置に移動させる。
【００１９】
即ち、各タンブラーが、錠前の半径方向において、対応する係止凸条の切り欠きの間に位置するに至る。このようにして各タンブラーと係合凸条との干渉が解消される。
【００２０】
従って、内筒は再び回動可能となる。そこで合鍵を回動させることにより、内筒は施錠状態から２分の１回転され、この発明による複合ディスクタンブラー錠は解錠される。
【００２１】
解錠状態から施錠するには、解錠のときとは逆に、第２の合鍵を鍵孔に挿入して、所定角度まで回動後、第１の合鍵に取り替えてさらに施錠角度位置にまで回動させることにより行う。
【００２２】
【実施例】
以下、この発明の実施例を図面を参照して説明する。
【００２３】
図１において、符号１は中空円筒状の外筒を示し、この外筒１の内側には、その母線に沿い中心軸線に関して対称的に形成された一対の係止溝２ａ、２ａ、一対の小径部１ａ、１ａ、一対の逃し溝２ｂ、２ｂ、及び一対の大径部１ｂ、１ｂが夫々角度位置を違えて連設されている。
【００２４】
係止溝２ａと係止凸条３は円周上異なった角度位置にある。図１においては、両者の角度差は係止凸条の巾及びタンブラーの巾を考慮した上、４５度としている。
【００２５】
角度差を上記のように設定したことにより、後述するように、第１の合鍵による回転角と、第２の合鍵による回転角は夫々約９０度となる。
【００２６】
係止溝２ａと係止凸条３との円周上の位相差は、係止溝の巾と、係止凸条との巾とが重なり合うことがなければ何度であっても差支えはないが、第１の合鍵による内筒の回転角と、第２の合鍵による内筒の回転角とは、あまり極端な差のない方が使用上での違和感が少なく、実用的である。
【００２７】
又、図示の実施例では、係止凸条３はその製造上の容易さを考慮して横断面略コ字形に折曲された板材を外筒１の大径部に填め込むものとし、したがって、実質上係止凸条は合計４条形成されることになるが、これは本発明の成立にとって必須の要件ではなく、中心軸線を挟んで相互に対称的に配置された２条の凸条があれば充分である。
【００２８】
上記の外筒１の内側には、図１、２に示すように、内筒４が同軸に嵌合している。この内筒４は、中央部に軸線方向に沿う鍵孔５が形成されると共に、軸線方向に沿って７ヵ所のスリット６、６が形成されている。
【００２９】
７箇所のスリットのうち、５個のスリットには、５個のタンブラー７ａ、７ｂ、７ｃ、７ｄ、及び７ｅが、夫々内筒の半径方向に移動可能に案内、収納されている。
【００３０】
しかして、各タンブラー７は、内筒を軸線方向に貫通するように固定されたピン８とタンブラーの側部突起９との間に弾装されたタンブラーばね１０の弾力により、半径方向に付勢されており、上記ピン８と平行に配設されたストップピン１１により係止されている。
【００３１】
スプリング１０による付勢方向は各タンブラーによって円周上１８０度異なっており、図２において、タンブラーの７ａは上側、７ｂは下側、７ｃは上側、７ｄは下側、７ｅは上側方向に付勢されている。
【００３２】
図１、２に示す状態、すなわち、合鍵が鍵孔５に挿入されていない状態において、５個のタンブラーの付勢方向の先端部１２は、夫々外筒１の係止溝２に係入するまでに突出しており、タンブラーと係止溝とは円周方向において干渉関係にある。
【００３３】
従って、タンブラーと係止溝との間の円周方向の相対運動は制止され、内筒４は外筒内１において回動不能である。換言すれば、この錠前は施錠常態にある。
【００３４】
この錠前に、第１の合鍵１３を内筒の鍵孔５に挿入すると、第１の合鍵１３の側面には５個の鍵溝１４ａ、１４ｂ、１４ｃ、１４ｄ、１４ｅが形成されているから、これらの鍵溝は、内筒のスリットに配設された各タンブラーの開口の係合端縁１５ａ、１５ｂ、１５ｃ、１５ｄ、１５ｅと夫々係合する。
【００３５】
そして、各鍵溝は、夫々対応する各タンブラー７を、タンブラーばね１０の弾力に抗して、所定位置まで移動させ、各タンブラー７の先端部を係止溝２ａから引き出し、各タンブラー７の両端をシアーラインに揃える。
【００３６】
従って内筒４は外筒１内において回動可能となり、図３に示すように第１の合鍵１３の回動とともに内筒は例えば時計方向に回動できる。以上述べた作用は、従来のディスクタンブラー錠のそれと変るところはない。
【００３７】
第１の合鍵を鍵孔に挿入した状態のまま、回動させて行き、内筒を約９０度回動させると、今度は図５、６に示すようにタンブラーの先端部１２が係止凸条３に衝突して、タンブラーは係止凸条と干渉し、回動が不可能となる。
【００３８】
係止凸条３は、図６に示すように、切り欠き１８が形成されており、合鍵を鍵孔５に挿入しない状態、或いは第１の合鍵を鍵孔に挿入した状態では、少くとも１個のタンブラーが係止凸条３と干渉する。
【００３９】
即ち、図１、３或いは５から明らかなように、各係止凸条３は外筒の小径部１ａより内側に突出しているから、第１の合鍵によりシアーライン上に揃えられた各タンブラー７は、少なくともその内１個の端部が係止凸条３と干渉する。
【００４０】
この実施例では、図６において、タンブラー７ａの下側、７ｂの下側、７ｃの下側、７ｄの上側の先端部が凹凸面１８とぶつかり、干渉状態にある。
【００４１】
そこで、図７、８に示すように、第１の合鍵１３を抜き、代りに第２の合鍵１６を鍵孔に挿入する。このとき、各タンブラーを前記逃げ溝２ｂ（図１参照）の角度位置に置く。
【００４２】
本発明の特徴的な構成は、各タンブラー７と係止凸条３との干渉が解消されるように係止凸条３、３に夫々上記切り欠き１８を形成することである。
【００４３】
つまり、鍵孔５に第２の合鍵１６を挿入したとき、各ディスクタンブラー７と干渉する係止凸条３の部分に切り欠き１８を形成し、鍵孔を挟んで相互に対向する一対の切り欠き１８、１８の底部間の間隔を、対応するディスクタンブラーの長さより少し大きくなるように設定する。
【００４４】
尚、第６図示の実施例では、一の切り欠きと、これに隣接する他の切り欠きの部分も一の切り欠きと同じ深さで切り欠いているが、これは係止凸条３のタンブラー７と干渉する部分のみを切り欠き、係止凸条が外観上櫛のように見えるように切り欠いても良い。
【００４５】
図８に示す実施例では、第２の合鍵１６の側面には第１の合鍵と同様に５個の鍵溝１７ａ、１７ｂ、１７ｃ、１７ｄ、１７ｅが形成され、これらの鍵溝は内筒のスリットに配設された各タンブラーの係合端縁１５ａ、１５ｂ、１５ｃ、１５ｄ、１５ｅと夫々係合する。
【００４６】
しかして、各鍵溝は、夫々対応する各タンブラーを圧縮スプリングに抗して所定位置、即ち、図７に示すように、第２の合鍵１６により各タンブラー７が係止凸条３と干渉する角度位置に回動したとき、各タンブラーが対応する切り欠き１８、１８の間に延在する位置、まで移動させる。このようにして、全てのタンブラーの先端部が係止凸条３、３との干渉から解放される。
【００４７】
第２の合鍵１６を挿入した状態において合鍵を時計方向に回動させていき、内筒を回動させると、内筒は初期の状態から２分の１回転され、操作部材１９が錠の図示しない錠止部材を解錠する。
【００４８】
錠止部材の解錠機構については、それ自体公知の技術であり、この発明の要旨ではないので省略する。
【００４９】
解錠状態から施錠するには、上記解錠のときとは逆に操作することとなるが、各タンブラーの動きは全く同様であるため詳細な説明は省略し、操作順だけの説明に止める。
【００５０】
先づ、第２の合鍵１６を鍵孔５に挿入し、反時計方向に停止するまで約９０度回動させる。
【００５１】
次に第２の合鍵を抜き、代りに第１の合鍵１３を鍵孔に挿入し、反時計方向に停止するまで約９０度回動する。以上の操作の結果、内筒は２分の１回転反時計方向に回動し、錠前は施錠される。
【００５２】
【発明の効果】
以上の説明から明らかなように、この発明は、１個の錠を施解錠するのに、異なった種類の２個の合鍵を使用するようにしたため、犯罪者による解錠の可能性が事実上不可能になるとともに、解錠時複数の鍵を夫々異なった者に所持させることにより、従来に無い新規な鍵の使用方法も考えることができる、という優れた効果を奏する。
【図面の簡単な説明】
【図１】図２のＩ−Ｉ線による複合ディスクタンブラー錠の横断面図で、鍵孔に合鍵を挿入しない状態を示す。
【図２】図１のＩＩ−ＩＩ線による複合ディスクタンブラー錠の縦断面図で、鍵孔に合鍵を挿入しない状態を示す。
【図３】図４のＩＩＩ−ＩＩＩ線による横断面図で、鍵孔に第１の合鍵を挿入した状態を示す。
【図４】図３のＩＶ−ＩＶ線による縦断面図で、鍵孔に第１の合鍵を挿入した状態を示す。
【図５】図６のＶ−Ｖ線による横断面図で、鍵孔に第１の合鍵を挿入した状態でタンブラーが係止凸条と干渉した状態を示す。
【図６】図６のＶＩ−ＶＩ線による縦断面図で、鍵孔に第１の合鍵を挿入した状態でタンブラーが係止凸条と干渉した状態を示す。
【図７】図８のＶＩＩ−ＶＩＩ線による横断面図で、鍵孔に第２の合鍵を挿入し、タンブラーが係止凸条の切り欠きを潜り抜けている状態を示す。
【図８】図７のＶＩＩＩ−ＶＩＩＩ線による縦断面図で、鍵孔に第２の合鍵を挿入し、タンブラーが係止凸条の切り欠きを潜り抜けている状態を示す。
【符号の説明】
１  外筒
１ａ  小径部
１ｂ  大径部
２ａ  係止溝
２ｂ  逃げ溝
３  係止凸条
４  内筒
５  鍵孔
６  スリット
７  タンブラー
８  ピン
９  側部突起
１０  タンブラーばね
１１  ストップピン
１３  第１の合鍵
１４  第１の合鍵の鍵溝
１５  係合端縁
１６  第２の合鍵
１７  第２の合鍵の鍵溝
１８  切り欠き
【図１】
0003614897.tif 000002
【図２】
0003614897.tif 000003
【図３】
0003614897.tif 000004
【図４】
0003614897.tif 000005
【図５】
0003614897.tif 000006
【図６】
0003614897.tif 000007
【図７】
0003614897.tif 000008
【図８】
0003614897.tif 000009